【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
先芯部と、開口した中央部と、内側側部と、外側側部と、かかと部とを含む履物アッパーであって、前記内側側部および前記外側側部は、各々が前記開口した中央部のいずれかの側で、前記先芯部からかかと部まで近接して延びている、履物アッパーと、
前記内側側部の遠位外部に沿って固定された第１の端部と、前記外側側部の遠位外部に沿って固定された第２の端部とを有する締めひもケーブルと、
前記内側側部および前記外側側部に沿って配置された複数の締めひもガイドであって、前記複数の締めひもガイドの各締めひもガイドは、前記締めひもケーブルの所定長さを受け入れるように適合され、前記締めひもケーブルは、前記履物アッパーの前記内側側部および外側側部の各々に沿ってパターンを形成するように、前記複数の締めひもガイドの各々を通って延びている、複数の締めひもガイドと、
少なくとも１つの内側側部の締めひもガイドを、前記開口した中央部を跨いで、対応する外側側部の締めひもガイドに結合する補強布地と、
前記締めひもケーブルを、前記複数の締めひもガイドの内側部によって形成された前記パターンから、前記締めひもケーブルが、ミッドソール部内に設けられたひも締めエンジンに係合することを可能にする位置へ通す内側近接締めひもガイドと、
前記締めひもケーブルを、前記締めひもケーブルが前記ひも締めエンジンに係合することを可能にする前記位置から出して、前記複数の締めひもガイドの外側部によって形成された前記パターンへ通すための外側近接締めひもガイドと、
を備える、履物アセンブリ。
【請求項２】
前記複数の締めひもガイドの各締めひもガイドは、前記締めひもケーブルを保持するためのＵ字状チャネルを形成する、請求項１に記載の履物アセンブリ。
【請求項３】
各締めひもガイドにおける前記Ｕ字状チャネルは、締めひもループを前記締めひもガイドに引き込めるようにする開口チャネルである、請求項２に記載の履物アセンブリ。
【請求項４】
各締めひもガイドにおける前記Ｕ字状チャネルは、前記締めひもケーブルが管状構造に挿通された状態で、Ｕ字状に湾曲されたまたは形成された前記管状構造によって形成される、請求項２に記載の履物アセンブリ。
【請求項５】
前記パターンは、前記締めひもケーブルの締付け中の力またはトルク対締めひも変位曲線を均すように形成される、請求項１に記載の履物アセンブリ。
【請求項６】
前記複数の締めひもガイドの各締めひもガイドは、熱活性化接着剤を含むオーバーレイを各締めひもガイドを覆って圧迫した状態で、前記履物アッパーに固定される、請求項１に記載の履物アセンブリ。
【請求項７】
前記オーバーレイは、前記熱活性化接着剤を染み込ませた布地である、請求項６に記載の履物アセンブリ。
【請求項８】
前記複数の締めひもガイドの各締めひもガイドは、少なくとも最初に縫製によって前記履物アッパーに固定される、請求項１に記載の履物アセンブリ。
【請求項９】
前記複数の締めひもガイドの各締めひもガイドはさらに、熱活性化接着剤を含むオーバーレイを各締めひもガイドを覆って圧迫した状態で、前記履物アッパーに固定される、請求項８に記載の履物アセンブリ。
【請求項１０】
前記パターンは、前記内側側部および前記外側側部の各々に、前記履物アッパーの中心線に近接して３つのアッパー締めひもガイドを含む、請求項１に記載の履物アセンブリ。
【請求項１１】
前記内側側部および前記外側側部の各々の上の前記３つのアッパー締めひもガイドの各々は、前記中心線から異なる距離だけ離間されている、請求項１０に記載の履物アセンブリ。
【請求項１２】
前記履物アッパーは、少なくとも前記先芯部から足開口部に近接して延びている弾性中心線部を含む、請求項１に記載の履物アセンブリ。
【請求項１３】
締めひもガイドのペアは、弾性部材により、前記履物アッパーの中心線部を跨いで接続される、請求項１に記載の履物アセンブリ。
【請求項１４】
前記弾性部材は、前記締めひもケーブルの締付け中のトルク対締めひも変位曲線を均すように機能する、請求項１３に記載の履物アセンブリ。
【請求項１５】
前記弾性部材は、可変弾性係数を与えて前記履物アッパーのフィット特性を変更するための異なる弾性部材と置換え可能である、請求項１３に記載の履物アセンブリ。
【請求項１６】
前記履物アッパーは、前記複数の締めひもガイドの内側部と、前記複数の締めひもガイドの外側部との間に、前記先芯部から足開口部まで延びているジッパーを含む、請求項１に記載の履物アセンブリ。
【請求項１７】
前記パターンは、前記締めひもケーブルが、前記内側側部と前記外側側部との間の前記履物アッパーの中央部を越えることを防ぐ、請求項１に記載の履物アセンブリ。
【請求項１８】
請求項１に記載の履物アセンブリであって、前記開口した中央部は、前記内側側部の少なくとも一部を前記外側側部から分ける開口を含む、履物アセンブリ。
【請求項１９】
請求項１に記載の履物アセンブリであって、前記補強布地は複数の内側側部の締めひもガイドを、前記開口した中央部を跨いで、複数の外側側部の締めひもガイドに結合する、履物アセンブリ。
【請求項２０】
請求項１に記載の履物アセンブリにおいて、前記補強布地は、フレキシブルな又は弾性の材料を含む、履物アセンブリ。
【請求項２１】
請求項１に記載の履物アセンブリにおいて、前記補強布地は、下にある前記履物アッパーよりも低い柔軟性の材料を含む、履物アセンブリ。
【請求項２２】
自動履物プラットフォーム用のひも締めアーキテクチャであって、
履物アセンブリのアッパー部の内側側部の遠位外部に沿って固定された第１の端部と、前記アッパー部の外側側部の遠位外部に沿って固定された第２の端部とを有する締めひもケーブルと、
前記内側側部に沿った第１のパターンで、および前記外側側部に沿った第２のパターンで配置された複数の締めひもガイドであって、前記複数の締めひもガイドの各締めひもガイドは、前記締めひもケーブルの所定長さを受け入れるための開口締めひもチャネルを有し、前記内側側部の少なくとも一部は、開口した中央部によって、前記外側側部の少なくとも一部から分けられる、複数の締めひもガイドと、
少なくとも１つの内側側部の締めひもガイドを、前記開口した中央部を跨いで、対応する外側側部の締めひもガイドに結合する補強布地と、
前記締めひもケーブルを、前記複数の締めひもガイドの内側部によって形成された前記第１のパターンから、前記締めひもケーブルが、ミッドソール部内に設けられたひも締めエンジンに係合することを可能にする位置に通す内側近接締めひもガイドと、
前記締めひもケーブルを、前記締めひもケーブルが前記ひも締めエンジンに係合することを可能にする前記位置から出して、前記複数の締めひもガイドの外側部によって形成された前記第２のパターンへ通すための外側近接締めひもガイドと、
を備える、ひも締めアーキテクチャ。
【請求項２３】
前記複数の締めひもガイドの各締めひもガイドは、前記締めひもガイド内で前記締めひもケーブルを保持するのを支援するように、前記開口締めひもチャネル内へ延びている締めひも保持部材を有する、請求項２２に記載のひも締めアーキテクチャ。
【請求項２４】
前記複数の締めひもガイドの各締めひもガイドは、前記締めひも保持部材の反対側に締めひもアクセス開口部を有し、前記締めひもアクセス開口部は、前記ケーブルを前記締めひも保持部材の周りに通すための隙間を形成している、請求項２３に記載のひも締めアーキテクチャ。
【請求項２５】
前記複数の締めひもガイドの各締めひもガイドは、前記締めひもガイドの上面に沿ってステッチ開口部を有し、前記ステッチ開口部は、前記締めひもガイドを縫製により前記アッパー部に少なくとも部分的に固定できるようになっている、請求項２２に記載のひも締めアーキテクチャ。